(57)【要約】【課題】安価で安全性の高いスリップフォーム工法における施工法および施工中のスリップフォームへの安全な乗降を可能にする乗降ステージを提供すること。【解決手段】スリップフォーム５の下端には乗降ステージ７が一体的に接続されている。乗降ステージ７は鉛直方向に連設された複数のステージ９を有し、各ステージ９は、はしご１１、乗降口１３、床部１５を有する。乗降ステージ７の側方向にはエレベータ１７が設置されている。エレベータ１７のケージ２１の出入口２３と乗降ステージ７の乗降口１３とは近接して対面可能である。スリップフォーム５の上昇中も、作業者はエレベータ１７のケージ２１から出入口２３、乗降口１３を介して、乗降ステージ７のいずれかのステージへ移動し、はしご１１を使ってスリップフォーム５に安全に移動することができる。【選択図】　図１
2004068527.tif 000002
【特許請求の範囲】
【請求項１】
スリップフォーム工法に用いられる乗降ステージであって、
鉛直方向に連設された複数のステージと、
前記各ステージと前記スリップフォームとの間の移動を可能にする移動手段と、
を具備し、
前記各ステージと前記高構造物外周に設けられた鉛直方向に昇降する昇降設備との間の移動が可能になるよう構成されていることを特徴とする乗降ステージ。
【請求項２】
前記移動手段は、はしごまたは階段であることを特徴とする請求項１記載の乗降ステージ。
【請求項３】
前記昇降設備はマストに沿って移動するケージであることを特徴とする請求項１記載の乗降ステージ。
【請求項４】
請求項１から３のいずれか１項に記載の乗降ステージの高さに合わせて前記昇降設備を停止させる工程と、
前記昇降設備と前記ステージのいずれかとの間を移動し、前記移動手段を用いて前記ステージと前記スリップフォームとの間を移動することにより、前記昇降設備と前記スリップフォームとの間を移動しつつ、スリップフォーム工法を実施する工程と、
前記スリップフォームが上昇して、前記ステージのうちの最下ステージが前記昇降設備より高くなったときに、前記昇降設備を上昇させる工程と、
を繰り返すことを特徴とするスリップフォーム工法における施工法。
【発明の詳細な説明】
【０００１】
【発明の属する技術分野】
本発明は、塔状構造物や橋脚等のコンクリート製の高構造物を施工する際に適用されるスリップフォーム工法における施工法および乗降ステージに関するものである。
【０００２】
【従来の技術】
橋脚等のコンクリート製の高構造物の施工時にスリップフォーム工法を用いることが多い。スリップフォーム工法では、コンクリート面を作り上げる型枠を移動させながらコンクリートを打設する。したがって、型枠であるスリップフォームは随時上昇していく。
【０００３】
この上昇を続けるスリップフォームへ乗降するには、固定されたプラットフォームでは用をなさない。そのため、その部分に総足場を設置したり、クレーンと搭乗設備を組み合わせたりして、作業者はスリップフォームに乗降していた。
【０００４】
【発明が解決しようとする課題】
しかしながら、総足場からスリップフォームへの移動には、スリップフォームが常に上昇を続けているために、段差や開口部が必然的に発生し、安全面で問題が生じていた。
また、スリップフォーム工法を用いるような高橋脚等では総足場を組むことが、コスト的にも工程的にもメリットが少ないという問題があった。
【０００５】
また、クレーンと搭乗設備の組み合わせでは、高構造物の施工高さが約５０ｍ以上になると、一般的なクレーンでは対応できず、大型で高価なクレーンが必要になる。さらに施工高さが１００ｍを越えると既存の移動式クレーンでは対応不可能となる。
【０００６】
スリップフォームへの乗降には上記方法以外にもエレベータを利用することが考えられる。しかし、エレベータを利用する際にも非常用の昇降設備は必要になり、その場合も前述と同様に、段差や開口部が必然的に発生し、安全面で問題が生じていた。
【０００７】
本発明は、このような問題に鑑みてなされたもので、その目的とするところは、高額な費用を発生させることなく安全性の高いスリップフォーム工法における施工法および施工中のスリップフォームへの乗降を安全に行うことができる乗降ステージを提供することにある。
【０００８】
【課題を解決するための手段】
前述した目的を達成するために第１の発明は、スリップフォーム工法に用いられる乗降ステージであって、鉛直方向に連設された複数のステージと、前記各ステージと前記スリップフォームとの間の移動を可能にする移動手段とを具備し、前記各ステージと前記高構造物外周に設けられた鉛直方向に昇降する昇降設備との間の移動が可能になるよう構成されていることを特徴とする乗降ステージである。
【０００９】
第１の発明では、鉛直方向に複数のステージが連設されているため、乗降ステージの高さ分の範囲にわたっては、スリップフォームの上昇中も、昇降設備と乗降ステージの間に危険な段差や開口部が発生することはない。したがって、停止したままの昇降設備から乗降ステージのいずれかのステージに移動し、移動手段を用いて各ステージからスリップフォームへ移動することにより、昇降設備からスリップフォームへ安全に移動することができる。前記移動手段は、例えば、はしごであってもよい。また、前記昇降設備はマストに沿って移動するケージであってもよい。
【００１０】
第２の発明は、上記の乗降ステージの高さに合わせて前記昇降設備を停止させる工程と、前記昇降設備と前記ステージのいずれかとの間を移動し、前記移動手段を用いて前記ステージと前記スリップフォームとの間を移動することにより、前記昇降設備と前記スリップフォームとの間を移動しつつ、スリップフォーム工法を実施する工程と、前記スリップフォームが上昇して、前記ステージのうちの最下ステージが前記昇降設備より高くなったときに、前記昇降設備を上昇させる工程と、を繰り返すことを特徴とするスリップフォーム工法における施工法である。
【００１１】
第２の発明では、乗降ステージの高さに合わせて昇降設備を停止させる。昇降設備とステージのいずれかとの間を移動し、移動手段を用いてステージとスリップフォームとの間を移動することにより、昇降設備とリップフォームとの間を移動しつつ、スリップフォーム工法を実施する。スリップフォームが上昇して、ステージのうちの最下ステージが昇降設備より高くなったときに、昇降設備を上昇させて、上記の動作を繰り返すことにより施工を行う。
【００１２】
【発明の実施の形態】
以下、図面に基づいて本発明の実施の形態を詳細に説明する。図１は、本発明の実施の形態に係る乗降ステージの構造および設置状況を示す図である。図１は施工途中の橋脚の一側面図を示す。
【００１３】
橋脚１は鉄骨３を主体とするＲＣ構造を有する。鉄骨３からなるブロックにスリップフォーム５が吊り下げられている。スリップフォーム５を連続して上昇させつつコンクリートを連続打設することにより橋脚が構築される。
【００１４】
スリップフォーム５の下端には、乗降ステージ７が吊り下げられている。乗降ステージ７はスリップフォーム５と一体的に接続されているため、スリップフォーム５が上昇するにつれ、乗降ステージ７も上昇する。
【００１５】
乗降ステージ７は鉛直方向に連設された複数のステージ９を有し、ここでは３つのステージ９を有する。乗降ステージ７の各ステージ９はそれぞれ、はしご１１、乗降口１３、床部１５を有する。
【００１６】
はしご１１は各ステージ９間の移動、および乗降ステージ７とスリップフォーム５との間を移動するための移動手段である。ここでは、各ステージ９ごとにはしご１１を設けているが、スリップフォーム５から最下層ステージにわたる１つのはしごを設けてもよい。また。はしご１１の代わりに、階段を用いてもよい。
【００１７】
乗降口１３は作業者が乗降ステージ７に出入りするための開口部である。乗降ステージ７は、上記各部と必要最小限の枠からなる簡単な構造を採用することができる。
【００１８】
乗降ステージ７の側方向には昇降設備としてのエレベータ１７が設置されている。エレベータ１７はマスト１９、ケージ２１を有する。マスト１９は鉛直方向に立設されており、その背面を壁つなぎ２５を介して橋脚１に支持されている。マスト１９は上端に部材を増設することによりその長さを伸長可能である。
【００１９】
ケージ２１は不図示の昇降装置によりマスト１９に沿って上下方向に昇降可能に構成されている。ケージ２１は作業者や資材を運搬するためのものであり、出入口２３を有する。
【００２０】
ここで、ケージ２１が上下動して所定の高さに位置したとき、ケージ２１の出入口２３と乗降ステージ７の乗降口１３とは近接して対面するよう構成されている。したがって、作業者は出入口２３と乗降口１３との間を安全に移動することができる。
【００２１】
次に、図２を参照しながら、乗降ステージ７を用いた本発明の実施の形態に係るスリップフォーム工法における施工法について説明する。図２では、乗降ステージ７が有する各ステージを上方から順に第１ステージ９−１、第２ステージ９−２、第３ステージ９−３としている。
【００２２】
図２（ａ）、（ｂ）、（ｃ）は施工時の各工程の状態を示す。図２（ａ）、（ｂ）、（ｃ）に示す一連の工程においては、スリップフォーム５および乗降ステージ７は上昇しているが、ケージ５は所定位置に停止したままである。
【００２３】
まず、図２（ａ）に示すように、ケージ２１を上昇させ、最上層のステージである第１ステージ９−１に合わせて停止させる。図２（ａ）では、ケージ２１内部の底面高さと第１ステージ９−１の床部１５の高さが一致している。
【００２４】
このとき、ケージ２１の出入口２３と第１ステージ９−１の乗降口１３とは近接して対面している。ケージ２１に搭乗した作業者は出入口２３、乗降口１３を介して、ケージ２１から第１ステージ９−１へ安全に移動することができる。
【００２５】
また、作業者は第１ステージ９−１からはしご１１を使ってスリップフォーム５に容易に移動することができる。スリップフォーム５からケージ２１への移動も上記と逆の経路を通って安全に移動することができる。
【００２６】
施工が進み、スリップフォーム５が上昇し、それに伴い乗降ステージ７も上昇する。ケージ２１は停止したままである。スリップフォーム５が上昇するため、第１ステージ９−１はケージ２１の上方に位置するが、第２ステージ９−２がケージ２１と対面する位置になる。図２（ｂ）にこの状態を示す。
【００２７】
図２（ｂ）では、ケージ２１内部の底面高さと第２ステージ９−２の床部１５の高さがほぼ一致している状態を示す。この場合も、図２（ａ）に示す場合と同様に、作業者はケージ２１から出入口２３、乗降口１３を介して、第２ステージ９−２へ移動し、はしご１１を使ってスリップフォーム５に安全に移動することができる。
【００２８】
なお、図２（ａ）と図２（ｂ）に示す状態の間の状態、すなわち、ケージ２１が第１ステージ９−１、第２ステージ９−２の境界を含んで双方に対面している状態では、下側のステージである第２ステージ９−２を使用して移動を行うことが好ましい。
【００２９】
図２（ｃ）は、さらに施工が進み、最下層のステージである第３ステージ９−３がケージ２１と対面する位置になった状態を示す。
【００３０】
図２（ｃ）では、ケージ２１内部の底面高さと第３ステージ９−３の床部１５の高さがほぼ一致している状態を示す。この場合も、図２（ａ）に示す場合と同様に、作業者はケージ２１から出入口２３、乗降口１３を介して、第２ステージ９−２へ移動し、はしご１１を使ってスリップフォーム５に安全に移動することができる。
【００３１】
なお、図２（ｂ）と図２（ｃ）に示す状態の間の状態、すなわち、ケージ２１が第２ステージ９−２、第３ステージ９−３の境界を含んで双方に対面している状態では、下側のステージである第３ステージ９−３を使用して移動を行うことが好ましい。
【００３２】
図２（ｃ）に示す状態の後、マスト１９と壁つなぎ２５を上方に増設する。そして、ケージ２１を上昇させ、最上層のステージである第１ステージ９−１に合わせて停止させる。以降は前述の動作を繰り返し、スリップフォーム施工を行う。
【００３３】
なお、必要であれば、第３ステージ９−３を利用して壁つなぎ２５を取り外すようにしてもよい。
【００３４】
スリップフォーム５の各ステージ９の高さ、および壁つなぎ２５の間隔はスリップフォーム５の施工速度を考慮して決めることが好ましい。例えば、スリップフォーム５が日進４ｍで上昇する場合は、各ステージ９の高さを２ｍ、壁つなぎ２５の間隔も４ｍとする。そして、１日１回ケージ２１の上昇を行うようにする。
【００３５】
実際に、上記施工法を用いて約１５０ｍの高さの建造物の施工を行うことができた。
【００３６】
以上述べたように、本実施の形態によれば、スリップフォーム施工時にスリップフォームとエレベータとの間の移動を安全に行うことができる。複数ステージを有する乗降ステージを用いることにより、常に上昇を続けるスリップフォームに対しても容易に対応可能である。総足場や大型クレーンを必要とせず、また乗降ステージは簡単な構造でよいため、安価に施工を行うことができる。
【００３７】
なお、本発明の技術範囲は前述した実施の形態に限られるものではない。例えば、乗降ステージはここでは３階構造としたが、ステージ数はこれに限定するものではない。また、橋脚以外の構造物の施工にも本発明は適用可能である。
【００３８】
【発明の効果】
以上、詳細に説明したように本発明によれば、高額な費用を発生させることなく安全性の高いスリップフォーム工法における施工法および施工中のスリップフォームへの乗降を安全に行うことができる乗降ステージを提供することができる。
【図面の簡単な説明】
【図１】本発明の実施の形態に係る乗降ステージの構造および設置状況を示す図
【図２】本発明の実施の形態に係るスリップフォーム工法における施工法の工程を示す図
【符号の説明】
１−−−−−−−−−橋脚
３−−−−−−−−−鉄骨
５−−−−−−−−−スリップフォーム
７−−−−−−−−−乗降ステージ
９−−−−−−−−−ステージ
１１−−−−−−−−−はしご
１３−−−−−−−−−乗降口
１７−−−−−−−−−エレベータ
１９−−−−−−−−−マスト
２１−−−−−−−−−ケージ
２３−−−−−−−−−出入口
【図１】
2004068527.tif 000003
【図２】
2004068527.tif 000004